(57)【要約】【課題】斜めに押し込み操作されても円滑に動作する優れた作動性を有し、さらに、ボタンカバーでの防水性が破綻してそこから漏水しても電気的な故障が発生しない優れた耐久性を有する電子内視鏡の遠隔操作ボタン装置を提供すること。【解決手段】ガイド筒１７の先端付近の内周面が、先端側へ次第に窄まった円錐孔部２３になっていて、ガイド軸部１８には、表面が滑らかなアール面状に形成されて付勢手段１５Ｂにより円錐孔部２３の内周面に押し付けられるアール凸面部２４が径方向に突出形成され、操作ボタン１９がガイド筒１７に対して斜め向きになった場合に、ガイド軸部１８のアール凸面部２４がガイド筒１７の円錐孔部２３の内周面に当接するようにした。【選択図】      図１
2010142255.tif 000002
【特許請求の範囲】
【請求項１】
内視鏡観察像の映像信号の処理を行う電子機器を遠隔操作するために電子内視鏡の操作部に配置された電子内視鏡の遠隔操作ボタン装置であって、操作者の指先で先端側から基端側に押し込み操作される操作ボタンと、上記操作ボタンを基端側から先端側に向かって付勢する付勢手段と、上記操作部に設けられたガイド筒内に可動に配置されて電気スイッチを押すように上記操作ボタンに連設されたガイド軸部とを備えた電子内視鏡の遠隔操作ボタン装置において、
上記ガイド筒の先端付近の内周面が、先端側へ次第に窄まった円錐孔部になっていて、上記ガイド軸部には、表面が滑らかなアール面状に形成されて上記付勢手段により上記円錐孔部の内周面に押し付けられるアール凸面部が径方向に突出形成され、上記操作ボタンが上記ガイド筒に対して斜め向きになった場合に、上記ガイド軸部のアール凸面部が上記ガイド筒の円錐孔部の内周面に当接するようにしたことを特徴とする電子内視鏡の遠隔操作ボタン装置。
【請求項２】
上記ガイド筒の上記円錐孔部より基端側寄りの内周部と上記ガイド軸部の上記アール凸面部より基端側寄りの外周部との間に、弾力性のある材料からなるＯリングが挟まれた状態に配置されている請求項１記載の電子内視鏡の遠隔操作ボタン装置。
【請求項３】
弾力性のある材料からなるキャップ状のボタンカバーが上記操作ボタンを覆って配置され、上記ボタンカバーが、押し込み操作に伴う変形の如何にかかわらず上記ガイド筒の先端面に当接しない請求項１又は２記載の電子内視鏡の遠隔操作ボタン装置。
【発明の詳細な説明】
【技術分野】
【０００１】
この発明は、ビデオプロセッサ等を遠隔操作するために内視鏡の操作部に設けられた電子内視鏡の遠隔操作ボタン装置に関する。
【背景技術】
【０００２】
電子内視鏡には一般に、例えば内視鏡観察画像の録画や一コマ撮影或いは画像静止（フリーズ）等を行うために、内視鏡観察像の映像信号の処理を行うビデオプロセッサ等の電子機器を遠隔操作する遠隔操作ボタンが設けられている。
【０００３】
図６はそのような電子内視鏡の遠隔操作ボタン装置を略示しており、操作者の指先で押し込み操作される操作ボタン９１にピストン状部材９２が連設されて、操作ボタン９１が押し込み操作されると、ピストン状部材９２が、シリンダ状に形成されたガイド筒９３の内周面に沿って移動するようになっている（例えば、特許文献１）。
【０００４】
また、弾力性のある材料からなるキャップ状のボタンカバー９４が操作ボタン９１に被覆配置されていて、ボタンカバー９４により遠隔操作ボタン装置の防水性が担保されている。９５はタクトスイッチ、９６はタクトスイッチの可動部である。
【特許文献１】特開２００２−１７０４５３
【発明の開示】
【発明が解決しようとする課題】
【０００５】
電子内視鏡の遠隔操作ボタン装置は、内視鏡の操作者が操作部を保持する手の指先を伸ばして操作されたり、場合によってはもう一方の手の指先で操作される等、操作のされ方はいろいろである。
【０００６】
そして、そのような操作が、必要に応じて突発的に或いは操作者の癖等にしたがって行われる。そのため、操作ボタン９１がその軸線方向に真っ直ぐに押し込み操作される場合もあるが、軸線方向に対して斜め方向から押し込み操作される場合も珍しくない。
【０００７】
しかし、上述のような従来の電子内視鏡の遠隔操作ボタン装置は、斜めに押し込み操作されると全く動作しないか、動作する場合でも円滑に動作せず、遠隔操作に動作遅れ（タイムラグ）が発生する等の不都合が生じていた。また、ボタンカバー９４にピンホール等ができると、そこからの漏水により電気的故障が発生する原因になっていた。
【０００８】
本発明は、斜めに押し込み操作されても円滑に動作する優れた作動性を有し、さらに、ボタンカバーでの防水性が破綻してそこから漏水しても電気的な故障が発生しない優れた耐久性を有する電子内視鏡の遠隔操作ボタン装置を提供することを目的とする。
【課題を解決するための手段】
【０００９】
上記の目的を達成するため、本発明の電子内視鏡の遠隔操作ボタン装置は、内視鏡観察像の映像信号の処理を行う電子機器を遠隔操作するために電子内視鏡の操作部に配置された電子内視鏡の遠隔操作ボタン装置であって、操作者の指先で先端側から基端側に押し込み操作される操作ボタンと、操作ボタンを基端側から先端側に向かって付勢する付勢手段と、操作部に設けられたガイド筒内に可動に配置されて電気スイッチを押すように操作ボタンに連設されたガイド軸部とを備えた電子内視鏡の遠隔操作ボタン装置において、ガイド筒の先端付近の内周面が、先端側へ次第に窄まった円錐孔部になっていて、ガイド軸部には、表面が滑らかなアール面状に形成されて付勢手段により円錐孔部の内周面に押し付けられるアール凸面部が径方向に突出形成され、操作ボタンがガイド筒に対して斜め向きになった場合に、ガイド軸部のアール凸面部がガイド筒の円錐孔部の内周面に当接するようにしたものである。
【００１０】
そして、ガイド筒の円錐孔部より基端側寄りの内周部とガイド軸部のアール凸面部より基端側寄りの外周部との間に、弾力性のある材料からなるＯリングが挟まれた状態に配置されていると、優れた防水性を確保することができる。
【００１１】
また、弾力性のある材料からなるキャップ状のボタンカバーが操作ボタンを覆って配置され、ボタンカバーが、押し込み操作に伴う変形の如何にかかわらずガイド筒の先端面に当接しないないように設けられていると、押し込み操作力量が重くならずにスムーズな操作性を得ることができる。
【発明の効果】
【００１２】
本発明によれば、操作ボタンがガイド筒に対して斜め向きになった場合でも、ガイド軸部のアール凸面部がガイド筒の円錐孔部の内周面に当接することにより、操作ボタンに斜め方向に加えられた力がガイド軸部を軸線方向に移動させる方向に変換される。これにより、操作ボタンが斜め方向に押し込み操作されても円滑に動作する優れた作動性を有する。
【００１３】
また、ガイド筒の円錐孔部より基端側寄りの内周部とガイド軸部のアール凸面部より基端側寄りの外周部との間に、弾力性のある材料からなるＯリングが挟まれた状態に配置することにより、ボタンカバーでの防水性が破綻してそこから漏水しても電気的な故障が発生しない優れた耐久性を得ることができる。
【発明を実施するための最良の形態】
【００１４】
内視鏡観察像の映像信号の処理を行う電子機器を遠隔操作するために電子内視鏡の操作部に配置された電子内視鏡の遠隔操作ボタン装置であって、操作者の指先で先端側から基端側に押し込み操作される操作ボタンと、操作ボタンを基端側から先端側に向かって付勢する付勢手段と、操作部に設けられたガイド筒内に可動に配置されて電気スイッチを押すように操作ボタンに連設されたガイド軸部とを備えた電子内視鏡の遠隔操作ボタン装置において、ガイド筒の先端付近の内周面が、先端側へ次第に窄まった円錐孔部になっていて、ガイド軸部には、表面が滑らかなアール面状に形成されて付勢手段により円錐孔部の内周面に押し付けられるアール凸面部が径方向に突出形成され、操作ボタンがガイド筒に対して斜め向きになった場合に、ガイド軸部のアール凸面部がガイド筒の円錐孔部の内周面に当接するようにする。
【実施例】
【００１５】
以下、図面を参照して本発明の実施例を説明する。
図２は電子内視鏡を示しており、操作者が手で保持する操作部１の下端部に連結された可撓管状の挿入部２の先端内に固体撮像素子（図示せず）が内蔵されており、観察窓から取り込まれた内視鏡観察像の撮像信号が固体撮像素子から出力される。
【００１６】
撮像信号を伝送する撮像信号ケーブルは、操作部１の後面上部から延出する接続可撓管３の先端に取り付けられたコネクタ部４に達していて、撮像信号が内視鏡観察像の映像信号の処理を行うために外部に設けられたビデオプロセッサに当該ケーブルを介して送られる。
【００１７】
操作部１の上端部付近には、ビデオプロセッサやビデオレコーダ等のような内視鏡観察像の映像信号の処理を行う外部の電子機器を遠隔操作するための複数の遠隔操作ボタン装置１０が配置されている。そして、遠隔操作ボタン装置１０により入力されるオン／オフの制御信号を伝送する制御信号ケーブル（図示せず）が、接続可撓管３内に挿通配置されてコネクタ部４内に達している。
【００１８】
図３は、本発明の第１の実施例の電子内視鏡の遠隔操作ボタン装置１０を拡大して示している。１１は、遠隔操作ボタン装置１０全体を支持する略円筒状の支持筒であり、固定ナット１２により操作部１に固定されている。１３は、シール用のＯリングである。
【００１９】
支持筒１１内でタクトスイッチ１５（電気スイッチ）を保持しているスイッチ保持筒１４が、支持筒１１の内面に形成されたメスねじに螺合する支持輪１６と、操作ボタン１９の進退動作をガイドするためのガイド筒１７との間に挟み付けられて、支持筒１１内に固定されている。ガイド筒１７は、支持筒１１を介して操作部１に固定された状態になっている。
【００２０】
１５Ａはタクトスイッチ１５のスイッチ可動部である。タクトスイッチ１５は、スイッチ可動部１５Ａが先端側から基端側に向けて（即ち、遠隔操作ボタン装置１０における先端側から基端側であり、図において上方から下方に）押されて一定以上移動するとオンになり、押される力がなくなりスイッチ可動部１５Ａが元の位置に戻るとオフになる。タクトスイッチ１５内には、スイッチ可動部１５Ａを元の位置に戻す戻しばね１５Ｂ（付勢手段）が内蔵されている。
【００２１】
スイッチ可動部１５Ａを押すことができるように基端面がスイッチ可動部１５Ａに当接する状態にガイド筒１７内に移動自在に配置されたガイド軸部１８の先端部分（図において上端側の部分）は、ガイド筒１７の先端よりさらに外方に突出している。そして、その部分に操作者の指先で先端側から基端側に押し込み操作される操作ボタン１９が取り付けられている。操作ボタン１９は、戻しばね１５Ｂによりガイド軸部１８を介して基端側から先端側（図において下方から上方）に向かって付勢されている。
【００２２】
そして、弾力性のあるゴム等の材料からなるキャップ状のボタンカバー２０が操作ボタン１９を覆う状態に配置されていて、ボタンカバー２０の基部は支持筒１１にライニング固着されている。その結果、遠隔操作ボタン装置１０は外部から水が入らないよう全体的にボタンカバー２０でシールされた状態になっている。
【００２３】
ボタンカバー２０の頂部の内面部分には、操作ボタン１９の中心位置に形成された凹部２１に嵌まり込む係合凸部２２が形成されて、操作ボタン１９がボタンカバー２０の頂部と共動するようになっている。
【００２４】
したがって、ボタンカバー２０を押し込み操作することにより操作ボタン１９が押し込まれた状態になり、ボタンカバー２０が斜め方向に押し込み操作された場合も、それに伴い斜め方向に操作ボタン１９が移動する。
【００２５】
ボタンカバー２０の中間領域の内壁は、ガイド筒１７の外周面の外側にやや隙間をあけて軸線と平行な円筒面状に形成されている。その結果、ボタンカバー２０は、押し込み操作に伴う変形の如何にかかわらずガイド筒１７の先端面１７ａに当接せず、押し込み操作に対応して円滑に変形するので、急激な操作力量の変化等がなく、操作ボタン１９をスムーズに押し込み操作することができる。
【００２６】
ガイド筒１７の先端付近の領域の内周面は、先端側へ次第に窄まった円錐孔部２３になっている。そして、戻しばね１５Ｂの付勢力により円錐孔部２３の内周面に押し付けられるアール凸面部２４が、ガイド軸部１８に径方向に突出して形成されている。アール凸面部２４は、表面が滑らかなアール面状（この実施例では半円形の断面形状）に形成されて、ガイド軸部１８に全周にわたって一定の径で突出形成されている。
【００２７】
アール凸面部２４の外径は円錐孔部２３の最小内径より少し大きく形成されている。したがって、操作ボタン１９とガイド軸部１８が、ガイド筒１７に対して真っ直ぐの状態であっても或いは斜めに傾いた状態になった場合でも、アール凸面部２４の外面が円錐孔部２３の内周面に常に当接した状態になる。
【００２８】
ガイド筒１７の円錐孔部２３より基端側寄りの部分の内周部と、ガイド軸部１８のアール凸面部２４より基端側寄りの外周部との間に挟まれた状態に、弾力性のある材料からなるＯリング２５が配置されている。なお、Ｏリング２５は、周囲の部材で潰される前の状態が図示されている。
【００２９】
その結果、ガイド軸部１８は、ガイド筒１７と軸線が一致する状態にＯリング２５で弾力的に支えられている。そのため、操作ボタン１９が斜め方向に押し込み操作されると、ガイド軸部１８がガイド筒１７内でガタつくことなくスムーズに斜めに傾いた状態になることができ、押し込み操作力が解除されると、Ｏリング２５の弾力性によりガイド軸部１８が元の真っ直ぐな状態に戻される。
【００３０】
そして、ボタンカバー２０にひび割れやピンホール等が発生してボタンカバー２０の防水性が破綻し、そこから漏水しても、Ｏリング２５によりガイド軸部１８とガイド筒１７との間がシールされているので、タクトスイッチ１５部分には水が侵入せず、電気的な故障が発生しない優れた耐久性を確保することができる。
【００３１】
また、Ｏリング２５が軸線方向に移動してしまわないように、Ｏリング２５は、ガイド筒１７の内周部から内方に突出形成された内方突壁２６とガイド軸部１８の外周部から外方に突出形成された鍔状部２７の間に挟み込まれた状態になっている。
【００３２】
なお、内方突壁２６の内周壁とガイド軸部１８の外周壁との間には隙間が確保され、鍔状部２７の外周壁とガイド筒１７の内周壁との間にも隙間が確保されている。したがって、ガイド軸部１８がガイド筒１７に対してスムーズに斜めに傾いた状態になる。
【００３３】
図４は、上述の実施例の遠隔操作ボタン装置１０において、操作ボタン１９が真っ直ぐに押し込み操作された状態を示している。ガイド軸部１８は、戻しばね１５Ｂの付勢力に抗して基端側へ真っ直ぐに軸線方向にスライドし、ガイド軸部１８の基端面でスイッチ可動部１５Ａが押し込まれてタクトスイッチ１５がオンになる。押し込み操作が解除されると、図３に示される元の状態に戻ってタクトスイッチ１５がオフになる。
【００３４】
図１は、操作ボタン１９が斜め方向に押し込み操作された状態を示している。斜め方向への押し込み操作により、ガイド軸部１８がガイド筒１７内で斜めに傾いた状態になるが、それによってアール凸面部２４が円錐孔部２３に当接すると、ガイド軸部１８に斜め方向に加えられた力が円錐孔部２３によりガイド軸部１８を奥側（即ち、基端側）に移動させる力に変換される。
【００３５】
そのためには、円錐孔部２３の傾斜角度（即ち、中心軸線に対する角度）が１５〜２０°程度の範囲にあることが望ましい。角度が小さ過ぎると力の向きを変える作用が小さく、角度が大き過ぎると操作ボタン１９が傾いた状態になりすぎてガイド筒１７の先端面等にぶつかって作動不良になる場合がある。
【００３６】
このような構成により、操作ボタン１９が斜め方向に押し込み操作された場合でも、ガイド軸部１８がスムーズに押し込み方向に移動してスイッチ可動部１５Ａを押し込み、タクトスイッチ１５をオンにすることができる。
【００３７】
押し込み操作が解除されると、図３に示される元の状態に戻って、タクトスイッチ１５がオフになる。このようにして、本発明の電子内視鏡の遠隔操作ボタン装置は斜め向きに押し込み操作されても円滑に動作する優れた作動性を得ることができる。
【００３８】
なお、本発明は上記実施例に限定されるものではなく、例えば、アール凸面部２４の断面形状は、図５に一例が図示されているように、円錐孔部２３と直接当接する部分が滑らかな円弧状の凸面に形成されてさえいれば、他の部分がどのような形状に形成されていても差し支えない。
【図面の簡単な説明】
【００３９】
【図１】本発明の第１の実施例の電子内視鏡の遠隔操作ボタン装置が斜め向きに押し込み操作された状態の縦断面図である。
【図２】本発明の電子内視鏡の遠隔操作ボタン装置が設けられた電子内視鏡の側面図である。
【図３】本発明の第１の実施例の電子内視鏡の遠隔操作ボタン装置の縦断面図である。
【図４】本発明の第１の実施例の電子内視鏡の遠隔操作ボタン装置が真っ直ぐに押し込み操作された状態の縦断面図である。
【図５】本発明の第２の実施例の電子内視鏡の遠隔操作ボタン装置の縦断面図である。
【図６】従来の電子内視鏡の遠隔操作ボタン装置の縦断面図である。
【符号の説明】
【００４０】
１  操作部
１０  遠隔操作ボタン装置
１５  タクトスイッチ（電気スイッチ）
１５Ａ  スイッチ可動部
１５Ｂ  戻しばね（付勢手段）
１７  ガイド筒
１８  ガイド軸部
１９  操作ボタン
２０  ボタンカバー
２３  円錐孔部
２４  アール凸面部
２５  Ｏリング
【図１】
2010142255.tif 000003
【図２】
2010142255.tif 000004
【図３】
2010142255.tif 000005
【図４】
2010142255.tif 000006
【図５】
2010142255.tif 000007
【図６】
2010142255.tif 000008